(57)【要約】【課題】鍋料理等のアクや油成分を除去する従来の杓子型調理器具は、アクや油成分のみに対する除去効果が低いという課題がある。単一の形状あるいは大きさの杓子に対する装着を前提とする先行技術は、複数の大きさの杓子型調理器具への装着ができないという課題がある。【解決手段】鍋料理等のアクや油成分の除去効果がある繊維素材によって構成され、１側が開口し杓子形調理器具の円形部を内部に挿入可能な袋状であり、開口部の周縁部に伸縮性素材が配置され、取っ手部が配置されたアク除去装置である。【選択図】図１
2010179078.tif 000002
【特許請求の範囲】
【請求項１】
柄部の下端にほぼ円形状の円形部が固定された杓子型調理器具に対して着脱する、繊維素材によって構成されることを特徴とするアク除去装置。
【請求項２】
［請求項１］記載のアク除去装置において、一側が開口し、内部に柄部の下端にほぼ円形状の円形部が固定された杓子型調理器具の円形部を挿入可能な大きさの、袋状の繊維素材によって構成されることを特徴とするアク除去装置。
【請求項３】
［請求項１］記載のアク除去装置において、開口部に伸縮性素材が配置された繊維素材によって構成されることを特徴とするアク除去装置。
【請求項４】
［請求項１］記載のアク除去装置において、取っ手部の配置を特徴とするアク除去装置。
【発明の詳細な説明】
【技術分野】
【０００１】  この発明は、杓子型調理器具に対して着脱するアク除去装置に関する。
【背景技術】
【０００２】  従来の鍋料理等のアクや油成分の除去装置として、柄部の下端にほぼ円形状の円形部が固定された杓子型調理器具が存在する。この杓子型調理器具には、円形部に１つ以上の穴が配置されている杓子型調理器具（１）と、円形部に穴が配置されていない杓子型調理器具（２）の２種類が存在する。【０００３】  特開平１０−１６５３１７に示すように、柄部の下端にＵ字形状の屈曲部を設け、該屈曲部の端部からほぼ円形状の支持枠が屈曲して突出する形状の杓子と、一側が開口し内部に支持枠を挿入可能な大きさの袋状のフィルタによって構成されるアク除去装置という先行技術が存在する。【０００４】  また実登３０１７１９９に示すように、柄部の下端にほぼ円形状の円形部が固定され、円形部に１つ以上の穴が配置されている杓子型調理器具（１）の円形部に対して装着するフィルタという先行技術が存在する。
【先行技術文献】
【特許文献】
【０００５】
【特許文献１】特開平１０−１６５３１７
【特許文献２】実登３０１７１９９
【発明の概要】
【発明が解決しようとする課題】
【０００６】  しかしながら以上の杓子型調理器具（１）によれば、アクや油成分が円形部の穴を通過してしまい十分に除去できない課題がある。また杓子型調理器具（２）によれば、円形部がアクや油成分以外の液体成分も除去してしまうという課題があった。【０００７】  一方で特開平１０−１６５３１７は、単一の形状の杓子に対してしか着脱できないという課題がある。また実登３０１７１９９は、杓子型調理器具（１）の円形部の径が単一の大きさである場合にしか着脱することができないという課題があった。【０００８】  そこで、この発明は、アクや油成分に対するアク除去装置と、杓子型調理器具（１）あるいは杓子型調理器具（２）の円形部の径が複数の大きさである場合の、アク除去装置の円形部に対する着脱を提供することを課題とする。
【課題を解決するための手段】
【０００９】  以上の課題を解決するために、第一発明は、柄部の下端にほぼ円形状の円形部が固定された杓子型調理器具の円形部に対して着脱する、繊維素材によって構成されることを特徴とするアク除去装置。【００１０】  第二発明は第一発明記載のアク除去装置において、一側が開口し内部に柄部の下端にほぼ円形状の円形部が固定された杓子型調理器具の円形部を挿入可能な大きさの、袋状の繊維素材によって構成されることを特徴とするアク除去装置。【００１１】  第三発明は第一発明記載のアク除去装置において、開口部に伸縮性素材が配置された繊維素材によって構成されることを特徴とするアク除去装置。【００１２】  第四発明は第一発明記載のアク除去装置において、取っ手部の配置を特徴とするアク除去装置である。
【発明の効果】
【００１３】  第一発明、または第二発明、または第三発明、または第四発明によれば、柄部の下端にほぼ円形状の円形部が固定された杓子型調理器具の円形部に対する、アクや油成分の除去効果がある繊維素材の着脱を実現する。【００１４】  また、柄部の下端にほぼ円形状の円形部が固定された杓子型調理器具の円形部の径が、複数の大きさであった場合の、アク除去装置の円形部に対する着脱を実現する。
【図面の簡単な説明】
【００１５】
【図１】この発明の一実施形態を示す立体図である。
【図２】従来技術である杓子型調理器具（１）を示す立体図である。
【図３】従来技術である杓子型調理器具（２）を示す立体図である。
【発明を実施するための形態】
【００１６】  この発明の一実施形態を、図に示して説明する。
図１の１に示すアク除去装置は、繊維素材によって構成されている。この場合の繊維素材は、アクや油成分の除去効果があるいかなる繊維でもよい。例えば不織布など。
【００１７】  図１の１に示すアク除去装置は、図１の２に示す一側が開口し、内部に図２に示す杓子型調理器具の円形部４、あるいは図３に示す杓子型調理器具の円形部５を挿入可能な大きさの、袋状の繊維素材によって構成されている。
【００１８】  図１の１に示すアク除去装置は、図１の２に示す開口部の周縁部に伸縮性素材が配置されている。市場に複数存在している図２に示す杓子型調理器具の円形部４、あるいは図３に示す杓子型調理器具の円形部５の径は同一ではないため、伸縮性素材の働きにより、開口部の径と円形部４、あるいは円形部５の径の差異を最小化することにより、複数の大きさによって構成された円形部４、あるいは円形部５に対するアク除去装置の装着および固定を実現する。この場合の伸縮性素材は、伸縮効果があるいかなる素材でもよい。例えばゴムなど。
【００１９】  図１の１に示すアク除去装置は、図１の３に示す人間の指を挿入可能な空間を有する穴が配置されている取っ手部が配置されている。アク除去装置が図２に示す杓子型調理器具の円形部４、あるいは図３に示す杓子型調理器具の円形部５に装着されている場合に、取っ手部に指を挿入し、取っ手部から見て開口部と反対方向に力を加えることにより、取り外しを行う。
【００２０】「実施形態の効果」
この実施形態によれば、図１の２に示す伸縮性素材の働きで、図２に示す杓子型調理器具の円形部４、あるいは図３に示す杓子型調理器具の円形部５の径が、開口部の径と同一の大きさ、あるいは未満の大きさの場合の装着が可能であり、複数の大きさによって構成される既存の杓子型調理器具に対する装着および固定を実現する。
図１の２に示す伸縮性素材の働きで、図２に示す杓子型調理器具の円形部４、あるいは図３に示す杓子型調理器具の円形部５に装着した場合の固定性が増大する。
図１の３に示す取っ手部を、取っ手部から見て開口部と反対方向に力を加えることにより、図２に示す杓子型調理器具の円形部４、あるいは図３に示す杓子型調理器具の円形部５からアク除去装置を取り外すことが可能。
【符号の説明】
【００２１】１  アク除去装置    ２  開口部    ３  取っ手部    ４  円形部４    ５  円形部５
【図１】
2010179078.tif 000003
【図２】
2010179078.tif 000004
【図３】
2010179078.tif 000005